(57)【要約】【課題】宅外から開閉状況を閲覧可能な遮蔽装置を実現するための開閉制御装置、またこれに係るプログラム及びシステムを提供すること。【解決手段】開閉制御装置であって、遮蔽材を有する遮蔽装置に取り付け可能に構成され、通信部と、演算部と、駆動部とを備え、前記遮蔽材に対する所望の開閉度合いを示す情報を所望開閉情報と定義し、前記遮蔽材における実際の開閉度合いを示す情報を実開閉情報と定義すると、前記通信部は、ネットワークに接続され、且つユーザ端末から送信された前記所望開閉情報を前記ネットワーク経由で受信し、前記駆動部は、前記通信部が受信した前記所望開閉情報に基づいて前記遮蔽材を開閉し、前記演算部は、前記実際の開閉度合いに基づいて前記実開閉情報を生成し、前記実開閉情報は、前記開閉制御装置があるローカルエリアネットワークの外部からも前記ネットワーク経由で閲覧可能に構成される、開閉制御装置が提供される。【選択図】図１
2019154771.tif 000002
【特許請求の範囲】
【請求項１】
開閉制御装置であって、遮蔽材を有する遮蔽装置に取り付け可能に構成され、
通信部と、演算部と、駆動部とを備え、
前記遮蔽材に対する所望の開閉度合いを示す情報を所望開閉情報と定義し、前記遮蔽材における実際の開閉度合いを示す情報を実開閉情報と定義すると、
前記通信部は、
ネットワークに接続され、且つ
ユーザ端末から送信された前記所望開閉情報を前記ネットワーク経由で受信し、
前記駆動部は、前記通信部が受信した前記所望開閉情報に基づいて前記遮蔽材を開閉し、
前記演算部は、前記実際の開閉度合いに基づいて前記実開閉情報を生成し、
前記実開閉情報は、前記開閉制御装置があるローカルエリアネットワークの外部からも前記ネットワーク経由で閲覧可能に構成される、
開閉制御装置。
【請求項２】
請求項１に記載の開閉制御装置において、
前記駆動部は、前記遮蔽材を開閉させるモータと、モータ用センサとを備え、
前記モータ用センサは、前記モータの回転角又は回転数を測定可能に構成され、
前記演算部は、前記測定結果に基づいて前記実開閉情報を生成する、
開閉制御装置。
【請求項３】
請求項１又は請求項２に記載の開閉制御装置において、
前記演算部は、前記実開閉情報の変化を検出するように構成され、
前記演算部が所定の閾値を超える前記実開閉情報の変化を検出すると、前記通信部が前記ユーザ端末に警告情報を送信するように構成される、
開閉制御装置。
【請求項４】
請求項１〜請求項３の何れか１つに記載の開閉制御装置において、
前記実開閉情報は、前記ユーザ端末と異なり且つ予め定められたモニタ端末によって前記外部からも閲覧可能に構成され、
前記通信部は、下記（１）及び（２）の少なくとも一方を実施するように構成される、
（１）所定期間内に前記実開閉情報が更新された場合に、前記モニタ端末に前記ユーザの安否情報を送信
（２）所定期間を経過しても前記実開閉情報が更新されない場合に、前記モニタ端末に前記ユーザの安否情報を送信
開閉制御装置。
【請求項５】
請求項１〜請求項４の何れか１つに記載の開閉制御装置において、
前記演算部は、任意の日又は時刻に係るタイマー情報を設定し、
前記駆動部は、前記タイマー情報に基づいて前記遮蔽材を開閉する、
開閉制御装置。
【請求項６】
コンピュータに所定機能を実行させるプログラムであって、
前記所定機能は、インターフェース機能を備え、
前記インターフェース機能では、ネットワークを介して請求項１〜請求項５の何れか１つに記載の開閉制御装置が操作可能なインターフェースとして、前記コンピュータを有するユーザ端末を機能させる、
プログラム。
【請求項７】
請求項６に記載のプログラムにおいて、
前記所定機能は、ビジュアライズ機能を更に備え、
前記開閉制御装置が開閉制御する遮蔽装置の遮蔽材に対する開閉度合いを示す情報を開閉情報と定義すると、前記ビジュアライズ機能では、前記ユーザ端末に係る表示部に、前記開閉情報をスライドバー又は遮蔽材のアイコンとして表示させ、
前記開閉情報は、所望開閉情報及び実開閉情報を含み、
前記所望開閉情報とは、
前記遮蔽材に対する所望の開閉度合いを示し、且つ
前記表示部に表示された前記スライドバー又は前記アイコンに対して入力操作をすることによって自在に変更可能な情報であり、
前記実開閉情報とは、前記開閉制御装置により取得した前記遮蔽材における実際の開閉度合いを示す情報である、
プログラム。
【請求項８】
遮蔽装置における遮蔽材を開閉するためのシステムであって、
ネットワークを介して接続されたユーザ端末及び開閉制御装置を備え、
前記遮蔽材に対する所望の開閉度合いを示す情報を所望開閉情報と定義し、前記遮蔽材における実際の開閉度合いを示す情報を実開閉情報と定義すると、
前記ユーザ端末は、ユーザに紐付けられ、且つ入力部と、第１通信部とを備え、
前記入力部は、これを介して前記所望開閉情報が入力可能に構成され、
前記第１通信部は、前記所望開閉情報を前記ネットワーク経由で前記開閉制御装置に送信可能に構成され、
前記開閉制御装置は、第２通信部と、駆動部と、演算部とを備え、
前記第２通信部は、前記ユーザ端末の前記第１通信部より送信された前記所望開閉情報を受信し、
前記駆動部は、前記所望開閉情報に基づいて前記遮蔽材を開閉し、
前記演算部は、前記遮蔽材の開閉度合いに基づいて前記実開閉情報を生成するように構成され、
前記実開閉情報は、前記開閉制御装置があるローカルエリアネットワークの外部からも前記ネットワーク経由で閲覧可能に構成される、
システム。
【請求項９】
請求項８に記載のシステムにおいて、
前記第２通信部は、前記実開閉情報が更新されると、下記（１）及び（２）の少なくとも一方を前記ネットワーク経由で前記ユーザ端末に送信し、これを前記ユーザ端末における前記第１通信部が受信すると、下記（１）及び（２）の少なくとも一方を通知するように構成される、
（１）前記実開閉情報
（２）前記実開閉情報に基づいて決定された警告情報
システム。
【請求項１０】
請求項８又は請求項９に記載のシステムにおいて、
前記ネットワークを介して接続され且つ前記ユーザ端末とは異なるモニタ端末を更に備え、
前記第２通信部は、前記実開閉情報が更新されると、下記（３）及び（４）の少なくとも一方を前記ネットワーク経由で前記モニタ端末に送信し、これを前記モニタ端末が受信すると下記（３）及び（４）の少なくとも一方を通知するように構成される、
（３）前記実開閉情報
（４）前記実開閉情報に基づいて決定された前記ユーザの安否情報
システム。
【請求項１１】
請求項８〜請求項１０の何れか１つに記載のシステムにおいて、
前記ユーザ端末は、表示部を更に備え、
前記表示部は、前記所望開閉情報又は前記実開閉情報をスライドバー又は前記遮蔽材のアイコンとして表示し、且つ前記入力部を介してユーザが入力操作をすることによって前記所望開閉情報を自在に変更可能に構成される、
システム。
【請求項１２】
請求項８〜請求項１１に何れか１つに記載のシステムにおいて、
音声入力装置を更に備え、
前記音声入力装置は、ユーザが発した音声に基づいて前記所望開閉情報を生成するように構成される、
システム。
【発明の詳細な説明】
【技術分野】
【０００１】
本発明は、開閉制御装置、プログラム及びシステムに関する。
【０００２】
カーテン、ブラインド、アコーディオンカーテン、プリーツ網戸及び間仕切り等、様々な遮蔽装置が実用されている。もちろん手動による操作でこれらの遮蔽装置を開閉するものが一般的ではあるものの、近年ではこれを電動化したものが普及しつつある。例えば、特許文献１には電動化した遮蔽装置の一例として電動カーテンが開示されている。
【先行技術文献】
【特許文献】
【０００３】
【特許文献１】特開２００４−１６６９８０号公報
【発明の概要】
【発明が解決しようとする課題】
【０００４】
しかしながら、特許文献１に開示されたカーテンは、宅外からカーテンの開閉状況を確認することができない。特に、
（事情１）ユーザが出先から閉め忘れていないかを確認したい
（事情２）出先から遮蔽材（カーテン）の開閉度合いを微調整（例えば３０％開いている状態を実現）したい
（事情３）遮蔽装置（カーテン）を所有するユーザ以外の第三者がユーザの安否等を確認するために開閉度合いの変化を確認したい
といった様々な事情を考えると、依然改善の余地があると解する。
【０００５】
（事情１）について補足する。例えば、旅行や出張等で一定期間その部屋を不在にする際に、遮蔽材が開いたままの状態となるのは防犯的な観点からも好ましくない。ユーザとしてはこのような状態を必要に応じて確認したいという需要がある。
【０００６】
（事情２）について補足する。部屋で留守番をしているペットにとって快適な開き具合の遮蔽材を出先から実現したい場合がある。しかしながら、現在の開閉度合いを確認する手段がなければ、その微調整が困難となるのは言うまでもない。
【０００７】
（事情３）について補足する。近年では高齢化社会の進展からお年寄りの一人暮らし等が急増しており、親族から安否等をリアルタイムに知りたいという要望がある。しかし、そのお年寄りの部屋にカメラを搭載する等の措置はプライバシーの問題からあまり好まれない。遮蔽装置の開け閉めは、ある種の日常的な一行動であり、安否確認の基準にもなりうると考えられる。
【０００８】
本発明は、かかる事情を鑑みてなされたものであり、宅外から開閉状況を閲覧可能な遮蔽装置を実現するための開閉制御装置、またこれに係るプログラム及びシステムを提供することを目的とする。
【課題を解決するための手段】
【０００９】
本発明の一観点によれば、開閉制御装置であって、遮蔽材を有する遮蔽装置に取り付け可能に構成され、通信部と、演算部と、駆動部とを備え、前記遮蔽材に対する所望の開閉度合いを示す情報を所望開閉情報と定義し、前記遮蔽材における実際の開閉度合いを示す情報を実開閉情報と定義すると、前記通信部は、ネットワークに接続され、且つユーザ端末から送信された前記所望開閉情報を前記ネットワーク経由で受信し、前記駆動部は、前記通信部が受信した前記所望開閉情報に基づいて前記遮蔽材を開閉し、前記演算部は、前記実際の開閉度合いに基づいて前記実開閉情報を生成し、前記実開閉情報は、前記開閉制御装置があるローカルエリアネットワークの外部からも前記ネットワーク経由で閲覧可能に構成される、開閉制御装置が提供される。
【００１０】
本観点に係る開閉制御装置は、遮蔽装置の実際の開閉度合いに基づいて実開閉情報を生成する演算部を備える。そして、当該実開閉情報は、開閉制御装置があるローカルエリアネットワークの外部からもネットワーク経由で閲覧可能に構成されることを特徴とする。このような構成により、前述した（事情１）〜（事情３）等に示す諸々の要望を実現することができる。
【００１１】
好ましくは、前記駆動部は、前記遮蔽材を開閉させるモータと、モータ用センサとを備え、前記モータ用センサは、前記モータの回転角又は回転数を測定可能に構成され、前記演算部は、前記測定結果に基づいて前記実開閉情報を生成する。
好ましくは、前記演算部は、前記実開閉情報の変化を検出するように構成され、前記演算部が所定の閾値を超える前記実開閉情報の変化を検出すると、前記通信部が前記ユーザ端末に警告情報を送信するように構成される。
好ましくは、前記実開閉情報は、前記ユーザ端末と異なり且つ予め定められたモニタ端末によって前記外部からも閲覧可能に構成され、前記通信部は、下記（１）及び（２）の少なくとも一方を実施するように構成される、
（１）所定期間内に前記実開閉情報が更新された場合に、前記モニタ端末に前記ユーザの安否情報を送信
（２）所定期間を経過しても前記実開閉情報が更新されない場合に、前記モニタ端末に前記ユーザの安否情報を送信。
好ましくは、前記演算部は、任意の日又は時刻に係るタイマー情報を設定し、前記駆動部は、前記タイマー情報に基づいて前記遮蔽材を開閉する。
【００１２】
本発明の別観点によれば、コンピュータに所定機能を実行させるプログラムであって、前記所定機能は、インターフェース機能を備え、前記インターフェース機能では、ネットワークを介して請求項１〜請求項５の何れか１つに記載の開閉制御装置が操作可能なインターフェースとして、前記コンピュータを有するユーザ端末を機能させる、プログラムが提供される。
【００１３】
本観点に係るプログラムが有するインターフェース機能によって、ユーザ端末がインターフェースとして機能する。そして、当該インターフェースを介して前述に記載の各開閉制御装置を操作することができる。
【００１４】
好ましくは、前記所定機能は、ビジュアライズ機能を更に備え、前記開閉制御装置が開閉制御する遮蔽装置の遮蔽材に対する開閉度合いを示す情報を開閉情報と定義すると、前記ビジュアライズ機能では、前記ユーザ端末に係る表示部に、前記開閉情報をスライドバー又は遮蔽材のアイコンとして表示させ、前記開閉情報は、所望開閉情報及び実開閉情報を含み、前記所望開閉情報とは、前記遮蔽材に対する所望の開閉度合いを示し、且つ前記表示部に表示された前記スライドバー又は前記アイコンに対して入力操作をすることによって自在に変更可能な情報であり、前記実開閉情報とは、前記開閉制御装置により取得した前記遮蔽材における実際の開閉度合いを示す情報である。
【００１５】
本発明の別観点によれば、遮蔽装置における遮蔽材を開閉するためのシステムであって、ネットワークを介して接続されたユーザ端末及び開閉制御装置を備え、前記遮蔽材に対する所望の開閉度合いを示す情報を所望開閉情報と定義し、前記遮蔽材における実際の開閉度合いを示す情報を実開閉情報と定義すると、前記ユーザ端末は、ユーザに紐付けられ、且つ入力部と、第１通信部とを備え、前記入力部は、これを介して前記所望開閉情報が入力可能に構成され、前記第１通信部は、前記所望開閉情報を前記ネットワーク経由で前記開閉制御装置に送信可能に構成され、前記開閉制御装置は、第２通信部と、駆動部と、演算部とを備え、前記第２通信部は、前記ユーザ端末の前記第１通信部より送信された前記所望開閉情報を受信し、前記駆動部は、前記所望開閉情報に基づいて前記遮蔽材を開閉し、前記演算部は、前記遮蔽材の開閉度合いに基づいて前記実開閉情報を生成するように構成され、前記実開閉情報は、前記開閉制御装置があるローカルエリアネットワークの外部からも前記ネットワーク経由で閲覧可能に構成される、システムが提供される。
【００１６】
本観点に係るシステムは、開閉制御装置を備え、当該開閉制御装置が遮蔽装置の実際の開閉度合いに基づいてリアルタイムに実開閉情報を生成する演算部を備える。そして、当該実開閉情報は、開閉制御装置があるローカルエリアネットワークの外部からもネットワーク経由で閲覧可能に構成されることを特徴とする。このような構成により、前述した（事情１）〜（事情３）等に示す諸々の要望を実現することができる。
【００１７】
好ましくは、前記第２通信部は、前記実開閉情報が更新されると、下記（１）及び（２）の少なくとも一方を前記ネットワーク経由で前記ユーザ端末に送信し、これを前記ユーザ端末における前記第１通信部が受信すると、下記（１）及び（２）の少なくとも一方を通知するように構成される、
（１）前記実開閉情報
（２）前記実開閉情報に基づいて決定された警告情報。
好ましくは、前記ネットワークを介して接続され且つ前記ユーザ端末とは異なるモニタ端末を更に備え、前記第２通信部は、前記実開閉情報が更新されると、下記（３）及び（４）の少なくとも一方を前記ネットワーク経由で前記モニタ端末に送信し、これを前記モニタ端末が受信すると下記（３）及び（４）の少なくとも一方を通知するように構成される、
（３）前記実開閉情報
（４）前記実開閉情報に基づいて決定された前記ユーザの安否情報。
好ましくは、前記ユーザ端末は、表示部を更に備え、前記表示部は、前記所望開閉情報又は前記実開閉情報をスライドバー又は前記遮蔽材のアイコンとして表示し、且つ前記入力部を介してユーザが入力操作をすることによって前記所望開閉情報を自在に変更可能に構成される。
好ましくは、音声入力装置を更に備え、前記音声入力装置は、ユーザが発した音声に基づいて前記所望開閉情報を生成するように構成される。
【図面の簡単な説明】
【００１８】
【図１】実施形態に係るシステムの構成概要を示す機能ブロック図。
【図２】実施形態に係る開閉制御装置の構成概要を示す機能ブロック図。
【図３】実施形態に係るユーザ端末及びモニタ端末の構成概要を示す機能ブロック図。
【図４】実施形態に係るユーザ端末の表示部に表示されるＧＵＩの一例。
【発明を実施するための形態】
【００１９】
以下、本発明の実施形態について図面を参照しながら詳細に説明する。特に、本明細書において「部」とは、例えば、広義の回路によって実施されるハードウェア資源と、これらのハードウェア資源によって具体的に実現されうるソフトウェアの情報処理とを合わせたものを指す。また、本実施形態においては様々な情報を取り扱うが、これら情報は、０又は１で構成される２進数のビット集合体として信号値の高低によって表され、広義の回路上で通信・演算が実行されうる。
【００２０】
また、広義の回路とは、回路（ｃｉｒｃｕｉｔ）、回路類（ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＬＰＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００２１】
１．全体構成
図１は、システム１の構成概要を示す機能ブロック図である。システム１は、部屋２の内部（宅内）に含まれる構成要素と、部屋２の外部（宅外）に含まれる構成要素から構成される。具体的には、システム１は宅内に、開閉制御装置３と、電動カーテン４と、Ｗｉｆｉルータ５とを備える。また、システム１は宅外に、ユーザ端末６と、モニタ端末７とを備える。なお、ユーザ端末６及びモニタ端末７は、例えばポータビリティの高いスマートフォンやタブレット端末である。また、ユーザ端末６については、ユーザに紐付けられたユーザ自身の所有物であるから、状況によっては宅外に限らず宅内において使用されることは当然差し支えないことにも留意されたい（例えば後述のタイマー設定等）。
【００２２】
１．１  開閉制御装置３
図２は、開閉制御装置３の構成概要を示す機能ブロック図である。図示の通り、開閉制御装置３は、通信部３１と、記憶部３２と、演算部３３と、モータ３４ａ及びセンサ３４ｂを含む駆動部３４とを有し、これらの構成要素が開閉制御装置３の内部において通信バス３０を介して接続されている。
【００２３】
＜通信部３１＞
通信部３１は、有線ＬＡＮネットワーク通信、無線ＬＡＮネットワーク通信、Ｂｌｕｅｔｏｏｔｈ（登録商標）通信等を含む複数の通信手段の集合であり、開閉制御装置３に応じて適切な通信規格を含むように実施することが好ましい。本実施形態においては、通信部３１は、無線ＬＡＮネットワーク通信によりＷｉｆｉルータ５と接続されている。すなわち、開閉制御装置３はＷｉｆｉルータ５を介してインターネットＩＮと接続されており、後述のユーザ端末６との情報の送受信が可能な構成を有する。
【００２４】
＜記憶部３２＞
記憶部３２は、演算部３３が実行するための種々のプログラム等を記憶する。これは、例えばソリッドステートドライブ（Ｓｏｌｉｄ  Ｓｔａｔｅ  Ｄｒｉｖｅ：ＳＳＤ）、ハードディスクドライブ（Ｈａｒｄ  Ｄｉｓｋ  Ｄｒｉｖｅ：ＨＤＤ）等のストレージデバイスとして実施されうる。また記憶部３２は、プログラムの演算に係る一時的に必要な情報（引数、配列等）を記憶するランダムアクセスメモリ（Ｒａｎｄｏｍ  Ａｃｃｅｓｓ  Ｍｅｍｏｒｙ：ＲＡＭ）等のメモリとしても実施されうる。また、これらの組合せであってもよい。
【００２５】
＜演算部３３＞
演算部３３は、開閉制御装置３に関連する全体動作の処理・制御を行う。演算部３３は、例えば不図示の中央処理装置（Ｃｅｎｔｒａｌ  Ｐｒｏｃｅｓｓｉｎｇ  Ｕｎｉｔ：ＣＰＵ）である。演算部３３は、記憶部３２に記憶された所定のプログラムを読み出すことによって、開閉制御装置３に係る種々の機能を実現する。特に演算部３３は、電動カーテン４におけるカーテン材（不図示）の開閉度合いを示す実開閉情報を生成することに留意されたい。より詳細には、演算部３３は、駆動部３４におけるセンサ３４ｂによって検出されたモータ３４ａの回転数に基づいて実開閉情報を算出し、これを記憶部３２に記憶させる。また、演算部３３は、かかる実開閉情報の変化を検出することもできる。
【００２６】
なお、図２においては、単一の演算部３３として表記されているが、実際はこれに限るものではなく、機能ごとに複数の演算部３３を有するように実施してもよい。またそれらの組合せであってもよい。
【００２７】
＜駆動部３４＞
駆動部３４は、開閉制御装置３が取り付けられる電動カーテン４の遮蔽材を開閉駆動する。具体的には、駆動部３４は、モータ３４ａとセンサ３４ｂとを有する。遮蔽材の開閉にはモータ３４ａが用いられ、その際の回転数や回転角をセンサ３４ｂが測定することによって、演算部３３が実開閉情報を算出することができる。センサ３４ｂの種類は特に限定されるものではなく、例えば、接触型回転角センサや非接触型回転角センサでもよい。あるいは、エンコーダを設けてその出力電圧を計測する等してもよい。モータ３４ａの種類は特に限定されるものではないが、ＰＩＤ等で位置制御が可能なものを選択することが好ましい。
【００２８】
１．２  電動カーテン４
電動カーテン４は、電動で作動する遮蔽装置のうち最もメジャーな装置である。ここではカーテン材がスライドすることによって開閉する一般的なものを想定しているが、両開き、片開き、上下開き等その形式は限定されない。第１．１節でも説明した通り、本実施形態では、開閉制御装置３における駆動部３４によって開閉駆動が実施される。
【００２９】
１．３  Ｗｉｆｉルータ５
ルータとは、コンピュータネットワークにおいてデータを２つ以上の異なるネットワーク間に中継する通信機器である。Ｗｉｆｉルータ５は、ＷＡＮ側がインターネットＩＮと接続され、無線ＬＡＮネットワーク通信によって開閉制御装置３と通信部３１を介して接続されている。これによって、開閉制御装置３とユーザ端末６及びモニタ端末７との情報の送受信を実現している。
【００３０】
１．４  ユーザ端末６（モニタ端末７）
図３は、ユーザ端末６及びモニタ端末７の構成概要を示す機能ブロック図である。図示の通り、ユーザ端末６は、通信部６１と、記憶部６２と、演算部６３と、表示部６４と、入力部６５を有し、これらの構成要素がユーザ端末６の内部において通信バス６０を介して接続されている。同様に、モニタ端末７は、通信部７１と、記憶部７２と、演算部７３と、表示部７４と、入力部７５を有し、これらの構成要素がモニタ端末７の内部において通信バス７０を介して接続されている。対称性を考慮し、ここでは、ユーザ端末６に係る構成要素について説明する。なお、ユーザ端末６とモニタ端末７との相違点については後述する。
【００３１】
＜通信部６１（７１）＞
ユーザ端末６は、ポータビリティの高いスマートフォンやタブレット端末であり、通信部６１は、無線ＬＡＮネットワーク通信、ＬＴＥ／３Ｇ等のモバイル通信、Ｂｌｕｅｔｏｏｔｈ（登録商標）通信等を含む複数の通信手段の集合として実施することが好ましい。特に、ＬＴＥ／３Ｇ等のモバイル通信によってインターネットＩＮと接続されることで、外出先からも宅内にある開閉制御装置３との情報の送受信が可能な構成を有する。
【００３２】
＜記憶部６２（７２）＞
記憶部６２は、演算部６３が実行するための種々のプログラム等を記憶する。これは、例えばソリッドステートドライブ（Ｓｏｌｉｄ  Ｓｔａｔｅ  Ｄｒｉｖｅ：ＳＳＤ）、ハードディスクドライブ（Ｈａｒｄ  Ｄｉｓｋ  Ｄｒｉｖｅ：ＨＤＤ）等のストレージデバイスとして実施されうる。また記憶部６２は、プログラムの演算に係る一時的に必要な情報（引数、配列等）を記憶するランダムアクセスメモリ（Ｒａｎｄｏｍ  Ａｃｃｅｓｓ  Ｍｅｍｏｒｙ：ＲＡＭ）等のメモリとしても実施されうる。また、これらの組合せであってもよい。
【００３３】
特に記憶部６２には、ユーザ端末６において使用されるグラフィックユーザインターフェース（ＧＵＩ）に関する情報を格納しており、これを演算部６３が読み出して表示部６４に表示するように構成されている（特許請求の範囲における「インターフェース機能」の一例）。つまり、表示部６４に所望のＧＵＩの画面を表示し且つ入力部６５を介して入力でき、これによって開閉制御装置３を操作できるという機能を実現させるためのプログラムがユーザ端末６にインストールされている。かかるプログラムは、予め又は事後的にインストール可能に構成されることが好ましい。
【００３４】
＜演算部６３（７３）＞
演算部６３は、ユーザ端末６に関連する全体動作の処理・制御を行う。演算部６３は、例えば不図示の中央処理装置（Ｃｅｎｔｒａｌ  Ｐｒｏｃｅｓｓｉｎｇ  Ｕｎｉｔ：ＣＰＵ）である。演算部６３は、記憶部６２に記憶された所定のプログラムを読み出すことによって、ユーザ端末６に係る種々の機能を実現する。特に演算部６３は、表示部６４に表示されたＧＵＩの動き処理を実行する。かかるＧＵＩについては後に改めて説明する。
【００３５】
＜表示部６４（７４）＞
表示部６４は、ユーザ端末６自体に含まれるものを想定しているが、これに限らず外付けされるものであってもよい。内蔵／外付け含め、ＣＲＴディスプレイ、液晶ディスプレイ、有機ＥＬディスプレイ及びプラズマディスプレイ等の表示デバイスを、必要に応じて使い分けて実施することが好ましい。表示部６４は、演算部６３による所定の制御信号に応答して、ＧＵＩの画面を選択的に表示しうる。なお、ＧＵＩについて補足すると、例えば、アイコン、スライドバー、ラジオボタン等といった具体的なインターフェースが表示されうる。
【００３６】
＜入力部６５（７５）＞
入力部６５は、例えば、ユーザ端末６自体に含まれるものであってもよいし、外付けされるものであってもよい。特に、入力部６５は、表示部６４に重畳的に設けられたタッチパネルとして実施されることが好ましい。もちろん、スイッチボタン、マウス、キーボード、音声入力等のユーザインターフェースを適宜採用してもよい。入力部６５を介して、ユーザの指示（コマンド）を受け付ける。当該指示は、通信バス６０を介して演算部６３に転送され、演算部６３が必要に応じて所定の制御や演算を実行しうる。特に本実施形態においては、ユーザが所望する電動カーテン４におけるカーテン材の開閉度合いに係る所望開閉情報の決定及び送信に使用されうる。
【００３７】
２．表示部６４の詳細
図４Ａ〜図４Ｃは、ユーザ端末６の表示部に表示されるＧＵＩの一例を示す概念図である（以後、本ＧＵＩと表現）。本ＧＵＩによれば、ユーザは、ユーザ端末６を用いて外出先からもカーテンの所望の開閉制御を実施することができる。すなわち、ユーザが本ＧＵＩを用いて、ユーザ端末６から所望開閉情報を開閉制御装置３にインターネットＩＮを介して送信することができる。また、かかる一例では、スライドバーＳＢ、カーテンを模したアイコンＩＣ、ボタンｂ１〜ｂ４が本ＧＵＩに設けられている。以下、これらについて説明する。
【００３８】
２．１  スライドバーＳＢ（アイコンＩＣ）
タッチ＆スワイプ動作（特許請求の範囲における「接触的な操作」の一例）によってスライドバーＳＢを左右にスライドさせることができる。スライドバーＳＢの上に表示された値は、遮蔽率であり、図４Ａでは１％（ほとんど全開状態）、図４Ｂでは５０％、図４Ｃでは１００％となっている（特許請求の範囲における「ビジュアライズ機能」の一例）。もちろん遮蔽率の代わりに開放率を表示してもよい。また遮蔽率や開放率が、所望開閉情報に相当することにも留意されたい。また、スライドバーＳＢの代わりに、アイコンＩＣに対してスライドバーＳＢと同様に直接接触的な操作を行ってもよい。
【００３９】
ところで、本ＧＵＩは、開閉制御装置３との間の双方向の情報通信が反映されることを特徴とする。ここで、［発明が解決しようとする課題］において説明した（事情１）を再び参照されたい。ユーザが出先からカーテンを閉め忘れていないかを、本ＧＵＩを用いて即座に確認することができる。また、図４Ａや図４Ｂに示されるように実際にカーテンが開いていた場合、これを入力部６５を介して図４Ｃのように閉じることもできる。
【００４０】
更に、（事情２）を再び参照されたい。事情２では微調整が求められている。そこで、現在の開閉度合いをアイコンＩＣによってリアルタイムで確認できる構成をとるものとした。遮蔽率のような数値では人間が把握しづらいものの、アイコンＩＣを確認することで直感的に開閉具合を把握しこれを調節することができる。換言すると、ユーザが接触的な操作をすることによって所望開閉情報を自在に変更可能に構成されている。
【００４１】
２．２  ボタンｂ１〜ｂ４
ボタンｂ１〜ｂ３は、リモコン操作用のボタンであり、それぞれ開放、停止、遮蔽を表している。ボタンｂ４はオプション設定用のボタンである。オプション設定は、防犯機能、タイマー機能、安否確認機能を少なくとも有する。これらについては、第３節において詳述する。
【００４２】
３．オプション設定
本節では、開閉制御装置３が有する各種機能について詳述する。本実施形態ではユーザ端末６やモニタ端末７を介してかかる機能を実現される。
【００４３】
３．１  防犯モード機能
例えば、不在中に空き巣等が窓から侵入するおそれがある。本実施形態に係る開閉制御装置３は、このような事態に備えて防犯モード機能を備えている。本ＧＵＩを介してインターネットＩＮ（又は宅内であればイントラネット）経由で「防犯モード」に設定することができる。防犯モードでは、カーテンの開閉度合いを開閉制御装置３における演算部３３が監視をしており、所定の閾値以上のカーテンの開閉度合いの変化を検出すると、通信部３１から警告情報を送信し且つこれがユーザ端末６に通知される。警告情報は、Ｅメール等の汎用的な通信手段によって通知がなされる。なお、所定の閾値は電動カーテン４若しくは遮蔽装置の種類によって好ましい値が異なるものと考えられ、本ＧＵＩを介して微調整可能であることが好ましい。
【００４４】
また、警告情報に代えて実開閉情報のログを送信し、かかるログからユーザ端末６が自発的にこれをユーザに通知する（例えば警告画面や警告音を出す）ように実施してもよい。更にこれらを組み合わせてもよい。
【００４５】
３．２  安否確認モード機能
［発明が解決しようとする課題］において説明した（事情３）を再び参照されたい。このような場合に備えて、本実施形態に係る開閉制御装置３は、安否確認モード機能を備えている。本ＧＵＩを介してインターネットＩＮ（又は宅内であればイントラネット）経由で「安否確認モード」に設定することができる。安否確認モードでは、ユーザではなくユーザの安否確認を所望する親族等の第三者の端末（モニタ端末７）に、通信部３１がカーテンの開閉度合いに基づいて決定された安否情報をインターネットＩＮ経由で送信する。安否情報を送信するタイミングは、所定期間内に開閉動作が確認（実開閉情報の更新）された場合でもよいし、所定期間が経過しても開閉動作が確認されなかった場合でもよいし、その両方としてもよい。
【００４６】
安否情報は、Ｅメール等の汎用的な通信手段によって通知がなされる。なお、かかる第三者は、カーテンの開閉機能を所望するわけでないので、前述のユーザ端末６の本ＧＵＩを必ずしも有する必要はない。すなわち、操作ではなく、カーテンの開閉具合（実開閉情報）を閲覧参照できる環境があればよい。そのための本ＧＵＩに代わる専用インターフェースをモニタ端末７における記憶部７２が記憶していてもよいし、モニタ端末７から別のサーバ等にアクセスして確認できるように実施してもよい。
【００４７】
また、安否情報に代えて実開閉情報のログを送信し、かかるログからモニタ端末７が自発的にこれをユーザに通知する（例えば警告画面や警告音を出す）ように実施してもよい。更にこれらを組み合わせてもよい。
【００４８】
３．３  タイマー機能
本実施形態に係る開閉制御装置３は、タイマー機能を備えている。本ＧＵＩを介してインターネットＩＮ（又は宅内であればイントラネット）経由でタイマー機能の詳細設定をすることができる。これは、本ＧＵＩを介して予め日時や曜日を指定しておくと、その日時や曜日に、カーテンが所定の動作をなすものである。例えば、朝の決められた時刻にカーテンを自動的に開放し、夜の決められた時刻にカーテンを自動的に遮蔽する、といったことが実現できる。具体的には、タイマーの詳細設定に係るタイマー情報を通信部３１が受信すると、演算部３３がこれを記憶部３２に記憶させてタイマー待機状態を実行する。その後、所定の日時や曜日になると、演算部３３が駆動部３４を駆動させてカーテンの開閉が実行される。
【００４９】
４．変形例
本実施形態に係るシステム１は、以下の態様によっても実施することができる。
【００５０】
第１に、電動カーテン４に代えて電動横型ブラインド、電動プリーツスクリーン、電動ロールカーテンに開閉制御装置３を取り付けてもよい。これらにもおいても、電動カーテン４を用いた場合の本システム１に係る作用効果と略同様の作用効果を実現することができる。
【００５１】
第２に、本ＧＵＩに代えて所望開閉情報が音声で入力できるように実施してもよい。かかる場合、ユーザ端末６に備えられたマイク機能を用いてもよいし、別個のＡＩスピーカー等の音声入力装置を用いてもよい。例えば前述した遮蔽率を音声で入力する。ユーザが「カーテン５０％！」等と口頭で発することで、本ＧＵＩを用いて行った操作と同様の作用効果を実現することができる。
【００５２】
第３に、本ＧＵＩを実現するためのプログラムがユーザ端末６にインストールされていなくてもよい。かかる場合は、別のサーバ等に本ＧＵＩに代わるＧＵＩの情報が記憶されており、ユーザ端末６が当該サーバにインターネットブラウザ等を用いてアクセスすることによって、本ＧＵＩと同様の作用効果を実現することができる。
【００５３】
５．結言
以上のように、本実施形態によれば、宅外から開閉状況を閲覧可能な遮蔽装置を実現するための開閉制御装置、またこれに係るプログラム及びシステムを提供することができる。
【００５４】
本発明に係る種々の実施形態を説明したが、これらは、例として提示したものであり、発明の範囲を限定することは意図していない。当該新規な実施形態は、その他の様々な形態で実施されることが可能であり、発明の要旨を逸脱しない範囲で、種々の省略、置き換え、変更を行うことができる。当該実施形態やその変形は、発明の範囲や要旨に含まれるとともに、特許請求の範囲に記載された発明とその均等の範囲に含まれるものである。
【符号の説明】
【００５５】
１      ：システム
２      ：部屋
３      ：開閉制御装置
３０    ：通信バス
３１    ：通信部
３２    ：記憶部
３３    ：演算部
３４    ：駆動部
３４ａ  ：モータ
３４ｂ  ：センサ
４      ：電動カーテン
５      ：Ｗｉｆｉルータ
６      ：ユーザ端末
６０    ：通信バス
６１    ：通信部
６２    ：記憶部
６３    ：演算部
６４    ：表示部
６５    ：入力部
７      ：モニタ端末
７０    ：通信バス
７１    ：通信部
７２    ：記憶部
７３    ：演算部
７４    ：表示部
７５    ：入力部
ＩＮ    ：インターネット
ＳＢ    ：スライドバー
ｂ１    ：ボタン
ｂ２    ：ボタン
ｂ３    ：ボタン
ｂ４    ：ボタン
【図１】
2019154771.tif 000003
【図２】
2019154771.tif 000004
【図３】
2019154771.tif 000005
【図４】
2019154771.tif 000006